(57)【要約】【課題】  ＴＶ受像機やレコーダを含む映像記録システムとして、待機時電力を低減できる映像記録システムを提供する。【解決手段】  レコーダ２０が接続されるＴＶ受信機１０に、レコーダへ電力を供給する電力供給手段１１１〜１１３と、レコーダ用のリモコン信号を受信する受信手段１１０と、受信手段により受信したリモコン信号に基づいて電力供給手段を制御するとともにレコーダに対する指令信号を生成する制御手段１０１と、指令信号をレコーダへ供給するインタフェース手段１０７とを設ける。【選択図】図１
2010098576.tif 000002
【特許請求の範囲】
【請求項１】
ＴＶ受信機と該ＴＶ受信機に接続されるレコーダとを含む映像記録システムにおいて、
前記ＴＶ受信機は、前記レコーダへ電力を供給する電力供給手段と、前記レコーダ用のリモコン信号を受信する受信手段と、該受信手段により受信した前記リモコン信号に基づいて前記電力供給手段を制御するとともに前記レコーダに対する指令信号を生成する制御手段と、前記指令信号を前記レコーダへ供給するインタフェース手段とを有している
ことを特徴とする映像記録システム。
【請求項２】
前記リモコン信号が電源投入信号であるとき、前記制御手段は前記電力供給手段を制御して前記レコーダへの電力供給を開始し、その後、前記指令信号として電源投入を示す信号を前記レコーダへ供給することを特徴とする請求項１に記載の映像記録システム。
【請求項３】
前記ＴＶ受信機は、さらに、情報を格納する情報格納手段を有し、
前記制御手段は、前記リモコン信号が録画予約信号であるとき、当該録画予約信号に基づき録画予約情報を生成するとともに前記情報格納手段に格納し、当該情報格納手段に格納された前記録画予約情報に基づいて前記電力供給手段を制御しかつ前記指令信号を生成することを特徴とする請求項１又は２に記載の映像記録システム。
【請求項４】
前記制御手段が、前記録画予約情報に含まれる録画開始時刻に基づいて前記レコーダへの電力供給を開始し、録画終了時刻に基づいて前記電力供給を終了するように前記電力供給手段を制御することを特徴とする請求項３に記載の映像記録システム。
【請求項５】
前記制御手段が、前記録画開始時刻よりも予め定められた時間だけ早い時刻に前記レコーダへの電力供給を開始するように前記電力供給手段を制御することを特徴とする請求項４に記載の映像記録システム。
【請求項６】
前記制御手段が、前記録画終了時刻の後、所定の電源断条件を満たしているか否か判断し、前記電源断条件を満たしている場合に前記電力供給を終了するように前記電力供給手段を制御することを特徴とする請求項４または５に記載の映像記録システム。
【請求項７】
前記制御手段は、前記電源断条件の一つとして、前記レコーダから出力された映像信号が前記ＴＶ受信機に供給されているか判断することを特徴とする請求項６に記載の映像記録システム。
【請求項８】
前記電力供給手段として、複数の電力供給端子を有し、
前記リモコン信号の種類と前記複数の電力供給端子との対応関係を示す対応情報を前記情報格納手段に格納しておくことにより、
前記制御手段が、前記複数の電力供給端子に接続された複数のレコーダへの電力供給を個別制御するようにしたことを特徴とする請求項１乃至７のいずれか一つに記載の映像記録システム。
【請求項９】
レコーダへ電力を供給する電力供給手段と、
前記レコーダ用のリモコン信号を受信する受信手段と、
該受信手段により受信した前記リモコン信号に基づいて前記電力供給手段を制御するとともに前記レコーダに対する指令信号を生成する制御手段と、
前記指令信号を前記レコーダへ供給するインタフェース手段と、
を有していることを特徴とするＴＶ受信機。
【請求項１０】
前記リモコン信号が電源投入信号であるとき、前記制御手段は前記電力供給手段を制御して前記レコーダへの電力供給を開始し、その後、前記指令信号として電源投入を示す信号を前記レコーダへ供給することを特徴とする請求項９に記載のＴＶ受信機。
【請求項１１】
情報を格納する情報格納手段をさらに有し、
前記制御手段は、前記リモコン信号が録画予約信号であるとき、当該録画予約信号に基づき録画予約情報を生成するとともに前記情報格納手段に格納し、当該情報格納手段に格納された前記録画予約情報に基づいて前記電力供給手段を制御しかつ前記指令信号を生成することを特徴とする請求項９又は１０に記載のＴＶ受信機。
【請求項１２】
前記制御手段が、前記録画予約情報に含まれる録画開始時刻に基づいて前記レコーダへの電力供給を開始し、録画終了時刻に基づいて前記電力供給を終了するように前記電力供給手段を制御することを特徴とする請求項１１に記載のＴＶ受信機。
【請求項１３】
前記制御手段が、前記録画開始時刻よりも予め定められた時間だけ早い時刻に前記レコーダへの電力供給を開始するように前記電力供給手段を制御することを特徴とする請求項１２に記載のＴＶ受信機。
【請求項１４】
前記制御手段が、前記録画終了時刻の後、所定の電源断条件を満たしているか否か判断し、前記電源断条件を満たしている場合に前記電力供給を終了するように前記電力供給手段を制御することを特徴とする請求項１２または１３に記載のＴＶ受信機。
【請求項１５】
前記制御手段は、前記電源段条件の一つとして、前記レコーダから出力された映像信号が前記ＴＶ受信機に供給されているか判断することを特徴とする請求項１４に記載のＴＶ受信機。
【請求項１６】
前記電力供給手段として、複数の電力供給端子を有し、
前記リモコン信号の種類と前記複数の電力供給端子との対応関係を示す対応情報を前記情報格納手段に格納しておくことにより、
前記制御手段が、前記複数の電力供給端子に接続された複数のレコーダへの電力供給を個別制御するようにしたことを特徴とする請求項９乃至１５のいずれか一つに記載のＴＶ受信機。
【発明の詳細な説明】
【技術分野】
【０００１】
本発明は、ＴＶ受信機とレコーダとを含む映像記録システムに関し、特にＴＶ受信機に関する。
【背景技術】
【０００２】
電気製品の多くは、電源オフの状態においてもリモコン操作を可能にする等のため、待機電力を消費している。この待機電力を減らすため種々の提案がなされている。例えば、録画装置として、設定された録画予約を全て実行した後、外部からの電源供給を遮断するようにしたものが提案されている（例えば、特許文献１参照）。また、テレビとレコーダのようなＡＶ機器間が２以上のインタフェースで接続されているシステムにおいて、待機時には消費電力の少ない一方のインタフェースを利用し、他方のインタフェースでの電力消費を抑えることにより待機電力消費を低減するようにしたものもある（例えば、特許文献２参照）。
【０００３】
また、待機電力を抑制するものではないが、被電源制御機器の電源を遠隔操作する電源制御装置というものも存在する（例えば、特許文献３参照）。
【０００４】
さらに、映像信号の有無に応じて液晶プロジェクターの投光用ランプのオン・オフを制御するようにしたものも存在する（例えば、特許文献４参照）。
【０００５】
【特許文献１】特開２００７−３５１２７号公報
【特許文献２】特開２００８−３４９０７号公報
【特許文献３】特開２０００−９２０９２号公報
【特許文献４】特開平７−２１０９８６号公報
【発明の開示】
【発明が解決しようとする課題】
【０００６】
デジタル放送に対応した従来のＴＶ受信機やレコーダは、ＥＰＧ（Electric Program Guide）と呼ばれる電子番組表の利用を可能とするため、定期的に番組情報を取得するように構成されている。このため、この種のＴＶ受信機やレコーダでは、待機状態においても定期的に電源が投入され比較的大きな電力を消費する。
【０００７】
しかしながら、この番組情報を取得するために消費される電力、および番組情報の取得を可能にするために要する待機電力は、特許文献１乃至４に記載された技術を用いても低減することができない。
【０００８】
そこで、本発明は、ＴＶ受像機やレコーダを含む映像記録システムとして、待機時電力を低減できる映像記録システムを提供することを目的とする。
【課題を解決するための手段】
【０００９】
本発明の第一の要旨は、ＴＶ受信機と該ＴＶ受信機に接続されるレコーダとを含む映像記録システムにおいて、前記ＴＶ受信機が、前記レコーダへ電力を供給する電力供給手段と、前記レコーダ用のリモコン信号を受信する受信手段と、該受信手段により受信した前記リモコン信号に基づいて前記電力供給手段を制御するとともに前記レコーダに対する指令信号を生成する制御手段と、前記指令信号を前記レコーダへ供給するインタフェース手段とを有していることを特徴とする。
【００１０】
また、本発明の第二の要旨は、ＴＶ受信機において、レコーダへ電力を供給する電力供給手段と、前記レコーダ用のリモコン信号を受信する受信手段と、該受信手段により受信した前記リモコン信号に基づいて前記電力供給手段を制御するとともに前記レコーダに対する指令信号を生成する制御手段と、前記指令信号を前記レコーダへ供給するインタフェース手段と、を有していることを特徴とする。
【発明の効果】
【００１１】
本発明によれば、ＴＶ受信機とレコーダとを含む映像記録システムにおいて、レコーダ用のリモコン信号を受信可能なＴＶ受信機が、レコーダへの電力供給を制御するようにしたことで、レコーダの待機電力を削減することができる。これにより、映像記録システム全体としての待機電力を削減することができる。
【発明を実施するための最良の形態】
【００１２】
次に、本発明の実施の形態について図面を参照して詳細に説明する。
【００１３】
図１は、本発明の第１の実施の形態に係る映像記録システムの概略構成を示すブロック図である。
【００１４】
図示の映像記録システムは、１台のＴＶ受信機１０と１台のレコーダ２０とを含む。これらＴＶ受信機１０とレコーダ２０には、アンテナ３０が共通に接続されている。
【００１５】
ＴＶ受信機１０は、制御部１０１、チューナ部１０２、ＡＶデコーダ部１０３、表示部１０４、映像入力部１０５、信号判別部１０６、連携Ｉ／Ｆ部１０７、タイマー部１０８、記憶部１０９、ユーザＩ／Ｆ部１１０、電源部１１１、ＡＣ出力部１１２、及びスイッチ１１３を有している。
【００１６】
制御部１０１は、ＴＶ受信機１０１全体の動作を制御する。また、制御部は、レコーダ２０との連携を実現するための指令信号を生成する制御手段として機能する。
【００１７】
チューナ部１０２は、制御部１０１からの指示に基づきアンテナ３０で受信した受信信号から任意のチャネルの信号を選択する。
【００１８】
ＡＶデコーダ部１０３は、チューナ部１０２又は映像入力部１０５からのストリームをデコードし、表示部１０４にて表示可能な映像データに変換する。
【００１９】
表示部１１は、例えば液晶パネル等を含み、ＡＶデコーダ部１０３からの映像データに基づいて映像を表示する。
【００２０】
映像入力部１０５は、レコーダ２０からの映像信号入力を受ける。映像入力部１０５は、例えばＨＤＭＩケーブルが接続されるＨＤＭＩ端子を含む。
【００２１】
信号判別部１０６は、映像入力部１０５への映像信号入力の有無を判別して制御部１０１に伝える。信号判別部１０６は、例えば、図２に示すように、カウンタ４１とＲＳフリップフロップ４２により構成される。カウンタ４１は、そのクロック入力端子４３に映像入力部１０５からの映像クロック信号を受け、そのパルス数をカウントし、カウント結果を出力する。カウンタ４１からのカウント結果は、フリップフロップ４２のセット端子に入力される。カウンタ４１及びＲＳフリップフロップ４２のリセット端子には、制御部１０１からのリセット信号が供給される。リセット信号がカウンタ４１及びＲＳフリップフロップ４２に供給されると、カウンタ４１の出力が一旦“０”になり、ＲＳフリップフロップの出力Ｑも“０”になる。この後、映像クロック信号が存在するならば、カウンタ４１の出力４１が“１”となり、カウンタ４１の出力が一旦“１”になる。こうして、制御部１０１は、信号判別部１０６にリセット信号を出力した後の信号判別部１０６の出力により、映像信号の有無を判別することができる。
【００２２】
連携Ｉ／Ｆ部１０７は、レコーダ２０との通信を行うＩＥＥＥ１３９４やＵＳＢ等の汎用Ｉ／Ｆであって、レコーダへの指令信号を供給するためのインタフェース手段として機能する。
【００２３】
タイマー部１０８は、録画予約開始及び終了時刻を制御部２３に通知する。
【００２４】
記憶部１０９はＥＰＧ等の情報を記憶する情報格納手段であって、ＲＡＭやＲＯＭ等を含む。
【００２５】
ユーザＩ／Ｆ部１０９は、ＴＶ受信機用の赤外線リモコン信号とレコーダ用の赤外線リモコン信号とをともに受信する受信手段であって、受信信号を制御部１０１に通知する。
【００２６】
電源部１１１は、ＴＶ受信機１０の各部へ必要に応じて電圧変換等して電力を供給するとともに、デコーダ１１１へＡＣ電力を供給する。
【００２７】
ＡＣ出力部１１２は、電源部１１１から供給されるＡＣ電力をデコーダ１１１へ供給する電力供給端子である。
【００２８】
スイッチ１１２は、電源部１１１とＡＣ出力部１１２との間に接続され、制御部１０１からのオン・オフ制御により、デコーダへ供給するＡＣ電力のオン・オフを制御する。電源部１１１、ＡＣ出力部１１２及びスイッチ１１２がレコーダ２０へＡＣ電力を供給する電力供給手段として機能する。
【００２９】
一方、レコーダ２０は、制御部２０１、チューナ部２０２、ＡＶデコーダ部２０３、ＡＶ出力部２０４、連携Ｉ／Ｆ部２０５、記憶部２０６、ユーザＩ／Ｆ部２０７、記録部２０８、及び電源部２０９を有している。
【００３０】
制御部２０１は、レコーダ２０の全体の動作を制御する。
【００３１】
チューナ部２０２は、制御部２０１からの指示に基づきアンテナ３０で受信した受信信号から任意のチャネルの信号を選択する。
【００３２】
ＡＶデコーダ部２０３は、チューナ部２０２からのストリームをデコードしてＡＶ出力部２０４へ供給する。
【００３３】
ＡＶ出力部２０４は、ＡＶデコーダ部２０３でデコードされた信号を映像信号としてＴＶ受信機１０へ出力する。ＡＶ出力部２０４は、例えばＨＤＭＩケーブルが接続されるＨＤＭＩ端子を含む。
【００３４】
連携Ｉ／Ｆ部２０５は、ＴＶ受信機１０との通信を行うＩＥＥＥ１３９４やＵＳＢ等の汎用Ｉ／Ｆである。
【００３５】
記憶部２０６は、ＥＰＧ等の情報を記憶するＲＡＭやＲＯＭである。
【００３６】
ユーザＩ／Ｆ部２０７は、レコーダ用の赤外線リモコン信号を受信して制御部２０１に通知する。
【００３７】
記録部２０８は、録画データを記録するＨＤＤやＯＤＤである。
【００３８】
電源部２０９は、外部から供給されるＡＣ電力を、必要に応じて電圧変換等して、レコーダの各部に供給する。
【００３９】
次に、図３のフローチャートを参照して、図１の映像記録システムの動作について説明する。
【００４０】
赤外線リモコンを用いてレコーダ２０の電源を投入する操作が行われたとき、レコーダ２０が商用電源に接続されており、かつ待機状態にあるならば、レコーダ２０の電源が投入される。しかしながら、本実施の形態に係る映像記録システムでは、レコーダ２０の電源部２０９は、ＴＶ受信機１０のＡＣ出力部１１２に接続されている。そして、必要なとき意外はレコーダ２０へのＡＣ電力供給は行われていない。このため、レコーダ２０はそのリモコン信号を受信することができない。
【００４１】
一方、ＴＶ受信機１０のユーザＩ／Ｆ部１１０は、ＴＶ受信機１０用のリモコン信号のみならず、レコーダ用のリモコン信号も受信する。ＴＶ受信機１０のユーザＩ／Ｆ部１１０は、レコーダ２０の電源投入を指示するリモコン信号を受信すると、それを制御部１０１に通知する。制御部１０１は、受信したリモコン信号がレコーダ２０の電源投入を指示するものであると判断すると（ステップＳ３０１でＹＥＳ）、スイッチ１１３を制御し、電源部１１１からのＡＣ電力を、ＡＣ出力部１１２を介してレコーダ２０の電源部２０９へ供給する。また、制御部１０１は、レコーダ２０に対して電源投入を指示する指令信号を生成し、連携Ｉ／Ｆ部１０７を介してレコーダ２０へ送信する。
【００４２】
レコーダ２０は、ＴＶ受信機１０からのＡＣ電力供給を電源部２０９で受けると、待機状態となる。その後、ＴＶ受信機１０からの電源投入を指示する指令信号を連携Ｉ／Ｆ部２０５を介して受信すると、レコーダ２０の制御部２０１は、レコーダ２０を電源投入された状態とする（ステップＳ３０７）。
【００４３】
また、ＴＶ受信機１０の制御部１０１は、レコーダ２０から映像信号が出力されていることを検出しているとき、レコーダ２０が電源投入された状態にある（待機状態ではない）と判断して、電源断を行わないようにする（ステップＳ３０２でＹＥＳ）。
【００４４】
また、ＴＶ受信機１０の制御部１０１は、タイマー部１０８からの通知に基づき、予約録画開始時刻の所定時間（例えば、１〜３分）前になると（ステップＳ３０３でＹＥＳ）、レコーダ１０へのＡＣ電力供給を行い、また、電源投入を指示する（ステップＳ３０８）。さらに、ＴＶ受信機１０の制御部１０１は、記憶部１０９に格納した録画予約情報に基づいて、選局、録画開始及び録画終了をそれぞれ指示する指令信号を生成し送信する（ステップＳ３０９〜Ｓ３１３）。
【００４５】
レコーダ２０は、ＴＶ受信機からの指令信号に従い、予約録画を実行する。即ち、制御部２０１は、チューナ部２０２に対して選局を指示する。また、制御部２０１は、録画開始の指示に従い、ＡＶデコーダ部２０３からのデコードデータを記録部２０８に記録し、録画終了の指示に従い、録画を終了する。
【００４６】
なお、ＴＶ受信機１０の記憶部１０９への録画予約情報の格納は、赤外線リモコンを用いたレコーダ２０に対する操作により行われる。つまり、利用者が、ＴＶ受信機１０の表示部１０４に表示された内容を見ながら、レコーダ２０に対する録画予約操作を行えば、ＴＶ受信機１０がレコーダ２０に代わってあるいはレコーダ２０とともにその予約情報操作に応じた録画予約情報を生成し、記憶部１０９へ格納する。
【００４７】
ＴＶ受信機１０の制御部１０１は、また、レコーダ２０の電源が不必要に入った状態となっていないか判断する（ステップＳ３０４）。つまり、映像入力がなく、予約開示時間が近づいているわけでもないのに、レコーダ２０の電源が入っている状態を検出する（ステップＳ３０４）。
【００４８】
予約録画が終了し、又は不必要に電源が入った状態であると判断されると（ステップＳ３０４でＹＥＳ）、ＴＶ受信機の制御部１０１は、レコーダ２０へのＡＣ電力供給を停止（電源断）してよいか判断する。制御部１０１は、レコーダ２０の電源断する準備が整ったと判断すると（ステップＳ３０５でＹＥＳ）、スイッチ１１３を制御して、レコーダ２０へのＡＣ電力供給を停止（電源断）する（ステップＳ３０６）。
【００４９】
以上説明したように、本実施の形態に係る映像記録システムでは、レコーダ２０へのＡＣ電力供給をＴＶ受信機１０において制御しているので、レコーダ２０の待機電力を削減することができる。具体的には、予約録画を行う場合であっても、その録画に必要とされる時間帯（録画開始の所定時間前から録画終了後電源断の準備が整うまで）のみ電力供給を行うので、録画予約設定後録画開始までの待機時間を録画開始前の所定時間にまで低減することができる。また、録画予約に必要なＥＰＧの更新等は、ＴＶ受信機１０のみで行い、必要ならレコーダ２０の電源を投入した際に、ＴＶ受信機１０からレコーダ２０へ通知するので、レコーダ２０の電源を定期的に投入する必要もない。
【００５０】
次に、本発明の第２の実施の形態に係る映像記録システムについて説明する。本実施の形態に係る映像記録システムの構成は、第１の実施の形態に係る映像記録システムと同様である。
【００５１】
図４に、本実施の形態に係る映像記録システムの動作を説明するフローチャートを示す。図３のフローチャートとの相違は、ステップＳ３０１の後にＥＰＧ情報送信を行うステップＳ４０１が設けられている点である。
【００５２】
電源が断されている間、レコーダ２０はＥＰＧ情報を更新することができない。そこで、ＴＶ受信機１０の制御部１０１は、レコーダ２の電源投入後、直ちに、ＴＶ受信機１０が有している最新のＥＰＧ情報をレコーダ２０へ送信する。また、レコーダ２０からの映像信号がＴＶ受信機１０に入力されている間（ステップＳ３０２でＹＥＳ）、ＥＰＧ情報が更新されたならば、ＴＶ受信機１０の制御部１０１は、最新のＥＰＧ情報をレコーダ２０へ送信する。レコーダ２０の制御部２０１は、連携Ｉ／Ｆ部２０５を介してＥＰＧ情報を受け取ると、受け取ったＥＰＧ情報を記憶部２０６に格納する。これにより、レコーダ２０は、電源投入されている間、最新のＥＰＧ情報を保持することができる。
【００５３】
なお、第１及び第２の実施の形態では、予約録画の開始及び終了をＴＶ受信機１０からレコーダ２０に指示するものとしたが、ＴＶ受信機１０は、レコーダ２０へのＡＣ電力の供給制御のみを行い、予約録画の開始及び終了制御は、レコーダ側で行うようにしてもよい。
【００５４】
次に、本発明の第３の実施の形態について、図５を参照して説明する。
【００５５】
本実施の形態に係る映像記録システムは、１台のＴＶ受信機１０−１と、複数台のレコーダ２０とを有している。
【００５６】
ＴＶ受信機１０−１の構成は、第１の実施の形態に係る映像記録システムのＴＶ受信機１０とほぼ同じであるが、複数のＡＣ出力部１１２とスイッチ１１３とを有している点で異なっている。また、複数台のレコーダ２０は、それぞれ異なる種類のリモコン信号により制御されるように構成されている。そして、ＴＶ受信機１０−１の記憶部１０９には、ＡＣ出力部１１２とそこに接続されたレコーダ２０に対応するリモコン信号の種類との対応関係を示す対応情報が格納されている。ＴＶ受信機１０−１の制御部１０１は、記憶部１０９に格納され他対応情報に基づき、ユーザＩ／Ｆ部１１０が受信したリモコン信号がどのレコーダ２０に対するものなのか判断し、複数台のレコーダ２０に対する電源制御を個別に行う。
【図面の簡単な説明】
【００５７】
【図１】本発明の第１の実施の形態に係る映像記録システムの概略構成を示すブロック図である。
【図２】図１の映像記録システムに含まれる信号判別部の内部構成を示すブロック図である。
【図３】図１の映像記録システムの動作を説明するためのフローチャートである。
【図４】本発明の第２の実施の形態に係る映像記録システムの動作を説明するためのフローチャートである。
【図５】本発明の第３の実施の形態に係る映像記録システムの構成を示すブロック図である。
【符号の説明】
【００５８】
１０    ＴＶ受信機
２０    レコーダ
３０    アンテナ
１０１    制御部
１０２    チューナ部
１０３    ＡＶデコーダ部
１０４    表示部
１０５    映像入力部
１０６    信号判別部
１０７    連携Ｉ／Ｆ部
１０８    タイマー部
１０９    記憶部
１１０    ユーザＩ／Ｆ部
１１１    電源部
１１２    ＡＣ出力部
１１３    スイッチ
２０１    制御部
２０２    チューナ部
２０３    ＡＶデコーダ部
２０４    ＡＶ出力部
２０５    連携Ｉ／Ｆ部
２０６    記憶部
２０７    ユーザＩ／Ｆ部
２０８    記録部
２０９    電源部
【図１】
2010098576.tif 000003
【図２】
2010098576.tif 000004
【図３】
2010098576.tif 000005
【図４】
2010098576.tif 000006
【図５】
2010098576.tif 000007